(57)【要約】【課題】使用者が携帯情報処理装置を電池で使用することを予定している際に、予定した時刻に電池を満充電状態にすることができるとともに、携帯情報処理装置をＡＣアダプタに接続する時間をできるだけ短くすることができるＡＣアダプタの接続通知方法および携帯情報処理装置を提供する。【解決手段】２次電池を満充電状態にしたい充電完了希望時刻を使用者が設定すると（ステップＳ２）、所定時間間隔で２次電池の電池容量を取得し（ステップＳ３）、取得した電池容量に基づいて２次電池を満充電にするための充電必要時間を算出し（ステップＳ４）、満充電にする時刻と充電必要時間とに基づいて２次電池の充電を開始する充電開始時刻を算出し（ステップＳ５）、携帯情報処理装置のディスプレイ上に、ＡＣアダプタの接続を要求する旨の表示（ステップＳ８）を行う。【選択図】図２
2009194955.tif 000002
【特許請求の範囲】
【請求項１】
ＡＣアダプタにより充電可能な２次電池を搭載した携帯情報処理装置におけるＡＣアダプタの接続通知方法であって、
前記２次電池を所定充電量まで充電する充電完了希望時刻を設定するステップと、
所定時間間隔で前記２次電池の電池容量を取得するステップと、
前記取得した電池容量に基づいて前記２次電池を前記所定充電量まで充電するための充電必要時間を算出するステップと、
前記充電完了希望時刻と前記充電必要時間とに基づいて前記２次電池の充電を開始する充電開始時刻を算出するステップと、
前記充電開始時刻またはその所定時間前において、使用者に前記ＡＣアダプタの接続を要求するステップを含むＡＣアダプタの接続通知方法。
【請求項２】
前記所定時間間隔は、前記取得した電池容量に基づいて設定され、前記取得した電池容量が小さいほど、前記所定時間間隔は小さく設定される請求項１に記載のＡＣアダプタの接続通知方法。
【請求項３】
前記所定時間間隔は、前記充電開始時刻までの残り時間に基づいて設定され、前記残り時間が小さいほど、前記所定時間間隔は小さく設定される請求項１に記載のＡＣアダプタの接続通知方法。
【請求項４】
前記充電必要時間は、前記充電必要時間を算出する時点直前の所定時間の平均消費電力に基づいて算出される請求項１〜３のいずれか１項に記載のＡＣアダプタの接続通知方法。
【請求項５】
前記充電開始時刻を経過した任意の時刻において、
前記ＡＣアダプタが前記携帯情報処理装置に接続されていないことを検知するステップと、
当該時刻に前記ＡＣアダプタが接続されていないことを検知した場合、前記充電必要時間に基づいて充電完了時刻を算出するステップと、
前記充電完了時刻を使用者に通知するステップとをさらに含む請求項１に記載のＡＣアダプタの接続通知方法。
【請求項６】
前記充電開始時刻を経過した任意の時刻において、
前記ＡＣアダプタが前記携帯情報処理装置に接続されていないことを検知するステップと、
当該時刻に前記ＡＣアダプタが接続されていないことを検知した場合、前記充電完了希望時刻における前記２次電池の充電率を算出するステップと、
前記充電率を使用者に通知するステップとをさらに含む請求項１に記載のＡＣアダプタの接続通知方法。
【請求項７】
前記充電開始時刻を経過した任意の時刻において、
前記ＡＣアダプタが前記携帯情報処理装置に接続されたことを検知するステップと、
当該時刻に前記ＡＣアダプタが接続されたことを検知した場合、前記充電必要時間に基づいて充電完了時刻を算出するステップと、
前記充電完了時刻を使用者に通知するステップとをさらに含む請求項１に記載のＡＣアダプタの接続通知方法。
【請求項８】
前記充電開始時刻を経過した任意の時刻において、
前記ＡＣアダプタが前記携帯情報処理装置に接続されたことを検知するステップと、
当該時刻に前記ＡＣアダプタが接続されたことを検知した場合、前記充電完了希望時刻における前記２次電池の充電率を算出するステップと、
前記充電率を使用者に通知するステップとをさらに含む請求項１に記載のＡＣアダプタの接続通知方法。
【請求項９】
ＡＣアダプタにより充電可能な２次電池を搭載した携帯情報処理装置であって、
前記２次電池を所定充電量まで充電する充電完了希望時刻を設定する充電完了希望時刻設定手段と、
所定時間間隔で前記２次電池の電池容量を取得する電池容量取得手段と、
前記取得した電池容量に基づいて前記２次電池を前記所定充電量まで充電するための充電必要時間を算出し、設定した充電完了希望時刻から前記２次電池の充電開始時刻を算出する充電開始時刻算出手段と、
前記充電開始時刻もしくはその所定時間前において、使用者に前記ＡＣアダプタの接続を要求するＡＣアダプタの接続通知手段とを備えた携帯情報処理装置。
【請求項１０】
前記ＡＣアダプタの接続通知手段は前記携帯情報処理装置のディスプレイ上の表示、もしくは音声、もしくは発光手段の発光により通知する手段を含む請求項９に記載の携帯情報処理装置。
【請求項１１】
ＡＣアダプタからの給電を検知する給電検知手段と、
前記充電開始時刻を経過した任意の時刻で、かつ、前記給電検知手段がＡＣアダプタからの給電を検知しない場合において、前記充電必要時間に基づいて当該時刻にＡＣアダプタを接続した場合の充電完了時刻を算出する充電完了時刻算出手段と、
前記充電完了時刻を使用者に通知する通知手段とをさらに備えた請求項９に記載の携帯情報処理装置。
【請求項１２】
ＡＣアダプタからの給電を検知する給電検知手段と、
前記充電開始時刻を経過した任意の時刻で、かつ、前記給電検知手段がＡＣアダプタからの給電を検知しない場合において、前記充電完了希望時刻における前記２次電池の充電率を算出する充電率算出手段と、
前記充電率を使用者に通知する通知手段とをさらに備えた請求項９に記載の携帯情報処理装置。
【請求項１３】
ＡＣアダプタからの給電を検知する給電検知手段と、
前記充電開始時刻を経過した任意の時刻で、かつ、前記給電検知手段がＡＣアダプタからの給電を検知した場合において、前記充電必要時間に基づいて充電完了時刻を算出する充電完了時刻算出手段と、前記充電完了時刻を使用者に通知する通知手段とをさらに備えた請求項９に記載の携帯情報処理装置。
【請求項１４】
ＡＣアダプタからの給電を検知する給電検知手段と、
前記充電開始時刻を経過した任意の時刻で、かつ、前記給電検知手段がＡＣアダプタからの給電を検知した場合において、前記充電完了希望時刻における前記２次電池の充電率を算出する充電率算出手段と、前記充電率を使用者に通知する通知手段とをさらに備えた請求項９に記載の携帯情報処理装置。
【発明の詳細な説明】
【技術分野】
【０００１】
本発明は、主として事務所で使用されるノートパソコンやＰＤＡ（携帯情報端末）などの携帯情報処理装置に使用される２次電池に対してＡＣアダプタに接続して充電することを促すＡＣアダプタの接続通知方法および携帯情報処理装置に関する。
【背景技術】
【０００２】
携帯情報処理装置、特にノートパソコンは、当初は主として携帯用として開発されたために、リチウムイオン電池などの２次電池（以下、単に「電池」ともいう）を搭載し、オフィスにおいて、商用電源にＡＣアダプタを介して接続して電池を充電しながら使用し、外出先では充電した電池を電源として使用するように構成されている。
【０００３】
外出先でノートパソコンを使用する場合（以下、「携帯使用」ともいう）の使用時間を長くするために、電池の充電は、電池の最大容量（以下、「満充電容量」ともいう）になるように充電制御されるものが一般的である。
【０００４】
また、オフィス内でも会議室にノートパソコンを携行して会議等を行うことも一般的になってきている。会議室の多くは、会議机にノートパソコンをＡＣアダプタで使用するための電源コンセントを備えていないため、ノートパソコンを内部の電池で駆動する必要がある。このため、会議中に電池が消耗してノートパソコンが使用できない状況にならないように、会議が始まる前に電池の充電を完了しておく必要がある。
【０００５】
電池の再充電を自動的に実施する方法しては、従来から、例えば特許文献１と２に示すようなものが提案されている。
【０００６】
また、事前に電池の再充電を促す方法して、例えば特許文献３に示すようなものが提案されている。
【０００７】
特許文献１および２に示すものは、携帯端末や携帯機器において、設定した任意の時刻に電池を満充電にするように自動的に充電を開始する構成したものである。
【０００８】
この場合、いずれも携帯端末や携帯機器を予め充電装置に接続しておく必要がある。
【０００９】
また、特許文献３に示すものは、携帯電話機において、過去の電池消費量に基づいて、現在から所定時間内に電池の再充電が必要かどうかを演算し、使用者に充電を促すように構成したものである。
【特許文献１】特平開１１−３５５９７０号公報
【特許文献２】特開２０００−２５３５９６号公報
【特許文献３】特開２００６−３３４０９号公報
【発明の開示】
【発明が解決しようとする課題】
【００１０】
しかしながら前述の特許文献１および２の方法では次の課題が発生する。
【００１１】
すなわち、前述のように外出先や会議机では、携帯情報処理装置をＡＣアダプタ（充電装置）に接続した状態では使用できないので、自動的に充電を開始することができない。
【００１２】
また、特許文献３に示す方法では、充電の必要性を知ることはできても、いつまでに充電したらよいかを正確に知ることはできないので、早めに携帯情報処理装置を壁際のコンセントに差し込んだＡＣアダプタで充電する必要があり、充電中は携帯情報処理装置を会議室や外出先で携帯使用することができない。また、充電の開始が遅れると、電池を満充電にする時間的な余裕がなく外出先や会議中に電池が切れてパソコンが使用できない状況が発生する。
【００１３】
本発明は上記課題を解決するためになされたものであり、使用者が携帯情報処理装置を電池で使用することを予定している際に、予定した時刻に電池を満充電状態にすることができるとともに、携帯情報処理装置をＡＣアダプタに接続する時間をできるだけ短くすることができるＡＣアダプタの接続通知方法および携帯情報処理装置を提供することを目的とする。
【課題を解決するための手段】
【００１４】
上記目的を達成するために、本発明のＡＣアダプタの接続通知方法は、ＡＣアダプタにより充電可能な２次電池を搭載した携帯情報処理装置におけるＡＣアダプタの接続通知方法であって、２次電池を所定充電量まで充電する充電完了希望時刻を設定するステップと、所定時間間隔で２次電池の電池容量を取得するステップと、取得した電池容量に基づいて２次電池を所定充電量まで充電するための充電必要時間を算出するステップと、充電完了希望時刻と充電必要時間とに基づいて２次電池の充電を開始する充電開始時刻を算出するステップと、充電開始時刻またはその所定時間前において、使用者にＡＣアダプタの接続を要求するステップを含むことを特徴とする。この方法により、使用者が携帯情報処理装置を電池で使用することを予定している際に、予定した時刻に２次電池を満充電状態にすることができるとともに、携帯情報処理装置をＡＣアダプタに接続する時間をできるだけ短くすることができる。
【００１５】
また本発明のＡＣアダプタの接続通知方法は、所定時間間隔は、取得した電池容量に基づいて設定され、取得した電池容量が小さいほど、所定時間間隔は小さく設定してもよい。この方法により、充電開始時刻をより正確に算出することが可能となるとともに携帯情報処理装置の処理負荷を軽減することができる。
【００１６】
また本発明のＡＣアダプタの接続通知方法は、所定時間間隔は、充電開始時刻までの残り時間に基づいて設定され、残り時間が小さいほど、所定時間間隔は小さく設定してもよい。この方法により、充電開始時刻をより正確に算出することが可能となるとともに携帯情報処理装置の処理負荷を軽減することができる。
【００１７】
また本発明のＡＣアダプタの接続通知方法は、充電必要時間は、充電必要時間を算出する時点直前の所定時間の平均消費電力に基づいて算出してもよい。この方法により、充電開始時刻をより正確に算出することが可能となる。
【００１８】
また本発明のＡＣアダプタの接続通知方法は、充電開始時刻を経過した任意の時刻において、ＡＣアダプタが携帯情報処理装置に接続されていないことを検知するステップと、当該時刻にＡＣアダプタが接続されていないことを検知した場合、充電必要時間に基づいて充電完了時刻を算出するステップと、充電完了時刻を使用者に通知するステップとをさらに含んでもよい。この方法により、充電開始時刻を経過して充電を開始した場合の満充電容量になる時刻を使用者に通知することができるので、使用者は外出するなどの判断の自由度が高くなる。
【００１９】
また本発明のＡＣアダプタの接続通知方法は、充電開始時刻を経過した任意の時刻において、ＡＣアダプタが携帯情報処理装置に接続されていないことを検知するステップと、当該時刻にＡＣアダプタが接続されていないことを検知した場合、充電完了希望時刻における２次電池の充電率を算出するステップと、充電率を使用者に通知するステップとをさらに含んでもよい。この方法により、充電開始時刻を経過して充電を開始した場合にも、当初設定した時刻における充電率を使用者に通知することができるので外出するなどの判断の自由度が高くなる。
【００２０】
また本発明のＡＣアダプタの接続通知方法は、充電開始時刻を経過した任意の時刻において、ＡＣアダプタが携帯情報処理装置に接続されたことを検知するステップと、当該時刻にＡＣアダプタが接続されたことを検知した場合、充電必要時間に基づいて充電完了時刻を算出するステップと、充電完了時刻を使用者に通知するステップとをさらに含んでもよい。この方法により、使用者は正確な充電完了時刻を知ることができるので外出等の判断をより正確に行うことが可能となる。
【００２１】
また本発明のＡＣアダプタの接続通知方法は、充電開始時刻を経過した任意の時刻において、ＡＣアダプタが携帯情報処理装置に接続されたことを検知するステップと、当該時刻にＡＣアダプタが接続されたことを検知した場合、充電完了希望時刻における２次電池の充電率を算出するステップと、充電率を使用者に通知するステップとをさらに含んでもよい。この方法により、使用者は外出予定時刻等での２次電池の正確な充電率を知ることができるので外出等の判断をより正確に行うことが可能となる。
【００２２】
本発明の携帯情報処理装置は、ＡＣアダプタにより充電可能な２次電池を搭載した携帯情報処理装置であって、２次電池を所定充電量まで充電する充電完了希望時刻を設定する充電完了希望時刻設定手段と、所定時間間隔で２次電池の電池容量を取得する電池容量取得手段と、取得した電池容量に基づいて２次電池を所定充電量まで充電するための充電必要時間を算出し、設定した充電完了希望時刻から２次電池の充電開始時刻を算出する充電開始時刻算出手段と、充電開始時刻もしくはその所定時間前において、使用者にＡＣアダプタの接続を要求するＡＣアダプタの接続通知手段とを備えたことを特徴とする。
【００２３】
また本発明の携帯情報処理装置は、ＡＣアダプタの接続通知手段は携帯情報処理装置のディスプレイ上の表示、もしくは音声、もしくは発光手段の発光により通知する手段を含んでもよい。この構成により、使用者がディスプレイ上の表示を見ていなかったり、気づかなかったりした場合でも、音声通知やＬＥＤ等の発光状態によりＡＣアダプタの接続すべき時刻を知ることができる。
【００２４】
また本発明の携帯情報処理装置は、ＡＣアダプタからの給電を検知する給電検知手段と、充電開始時刻を経過した任意の時刻で、かつ、給電検知手段がＡＣアダプタからの給電を検知しない場合において、充電必要時間に基づいて当該時刻にＡＣアダプタを接続した場合の充電完了時刻を算出する充電完了時刻算出手段と、充電完了時刻を使用者に通知する通知手段とをさらに備えてもよい。
【００２５】
また本発明の携帯情報処理装置は、ＡＣアダプタからの給電を検知する給電検知手段と、充電開始時刻を経過した任意の時刻で、かつ、給電検知手段がＡＣアダプタからの給電を検知しない場合において、充電完了希望時刻における２次電池の充電率を算出する充電率算出手段と、充電率を使用者に通知する通知手段とをさらに備えてもよい。
【００２６】
また本発明の携帯情報処理装置は、ＡＣアダプタからの給電を検知する給電検知手段と、充電開始時刻を経過した任意の時刻で、かつ、給電検知手段がＡＣアダプタからの給電を検知した場合において、充電必要時間に基づいて充電完了時刻を算出する充電完了時刻算出手段と、充電完了時刻を使用者に通知する通知手段とをさらに備えてもよい。
【００２７】
また本発明の携帯情報処理装置は、ＡＣアダプタからの給電を検知する給電検知手段と、充電開始時刻を経過した任意の時刻で、かつ、給電検知手段がＡＣアダプタからの給電を検知した場合において、充電完了希望時刻における２次電池の充電率を算出する充電率算出手段と、充電率を使用者に通知する通知手段とをさらに備えてもよい。
【発明の効果】
【００２８】
本発明によれば、使用者が携帯情報処理装置を電池で使用することを予定している際に、予定した時刻に電池を満充電状態にすることができるとともに、携帯情報処理装置をＡＣアダプタに接続する時間をできるだけ短くすることができるＡＣアダプタの接続通知方法および携帯情報処理装置を提供することができる。
【発明を実施するための最良の形態】
【００２９】
以下、本発明の実施の形態について図面を参照しながら詳細に説明する。
【００３０】
なお、説明の便宜上、数値を上げて説明するが、本発明はこの数値には拘束されない。
【００３１】
（実施の形態１）
図１は本発明の実施の形態１における、携帯情報処理装置１の電気的な構成を示す図である。携帯情報処理装置１は、電池２と、携帯情報処理装置本体部３と、ＡＣアダプタ等の外部電源（図示しない）から電力供給を受ける給電端子４ａ、４ｂと、マイクロコンピュータ（以下、「マイコン」という）５と、ＣＰＵ（中央処理装置）７より構成されている。
【００３２】
電池２は、その内部に、電池２の充電電流および放電電流を計測し、電池２の残存容量を演算する計測・演算部２ａと、電池内の情報、例えば残存容量、電池電圧、電池２のＩＤなどの情報を外部と通信できる通信部２ｂを備えている。給電端子４ａ、４ｂには、充電制御部４１と給電検知部４２が接続されている。
【００３３】
マイコン５は、電池容量取得部５２と、電池容量を取得する時間間隔を記載した取得間隔テーブル５２ａと、充電開始時刻算出部５３と、消費電力記憶テーブル５３ａと、ＡＣアダプタ接続通知部５４とを内蔵している。またＣＰＵ７は充電完了希望時刻設定部５１を内蔵している。ただしマイコン５およびＣＰＵ７内部の各処理部は便宜上別々の構成要素として表現しているが、実際にはソフトで実行されるものであり、各処理に対応する処理部が別々に存在するわけではない。
【００３４】
また、ＣＰＵ７には、その周辺装置として、マウス／キーボード６１、ＲＡＭ６２、ＨＤＤ（ハードディスクドライブ）６３、液晶表示素子などのディスプレイ６５が接続されている。またマイコン５には電源制御部６４、ＬＥＤ等の発光部６７が接続されている。
【００３５】
充電制御部４１は、マイコン５の指示に基づいて、前述の外部電源から供給される電力の一部を、携帯情報処理装置本体部３の内部（ＣＰＵ７やディスプレイ６５等の周辺装置）に供給し、かつ、電池２を各種のパターンで充電制御する。各種のパターンとは、電池２をどの程度の充電容量にまで充電するか、また、充電の速度を緩やかに行うのか、急速に行うのかといったことである。
【００３６】
通常、携帯情報処理装置１をオフィスの給電が可能な状態で使用する場合は、給電端子４ａ、４ｂにＡＣアダプタ（図示しない）を接続して、電池２を充電しながら使用する。この場合、充電制御部４１は、電池２を使用者の選択により、電池２の最大容量になるように充電、もしくは、電池２の寿命を延ばすために電池２の最大容量の数１０％程度になるように充電制御する。
【００３７】
なお、充電制御部４１は、給電端子４ａ、４ｂに外部電源が接続されていない場合は、電池２の電力を携帯情報処理装置本体部３の内部に供給する機能も備えている。
【００３８】
また、携帯情報処理装置１を携帯使用する場合は、前もって電池２を満充電容量まで充電することが行われる。
【００３９】
次に、本実施の形態の携帯情報処理装置１の動作を図１と図３〜図５を参照しながら、図２を用いて基本の動作を説明する。図２は、本実施の形態における携帯情報処理装置１の動作を説明するためのフローチャート、図３は本実施の形態における携帯情報処理装置１のディスプレイ６５上の表示の例を示す図、図４は本実施の形態における携帯情報処理装置１の電池容量取得の取得間隔を示す図、図５は本実施の形態における携帯情報処理装置１のＡＣアダプタ接続通知部５４の表示例を示す図である。基本の動作は、外出等を予定している使用者が携帯情報処理装置１の使用を開始する時点からスタートする。
【００４０】
図２において、まずステップＳ１で使用者はディスプレイ６５上のタスクバーに収納された充電予約釦（図示しない）をマウス６１によりクリックすると、図３に示すようなダイアログ（枠表示）６５ａがディプレイ６５に表示される。次にステップＳ２において、使用者は、自己の外出予定時刻を上記のマウス／キーボード６１を操作して入力し（図３のダイアログ６５ｂ）、ＯＫ釦（同ダイアログ６５ｃ）を操作することにより充電完了希望時刻が設定される。以上の動作は、ＣＰＵ７内の充電完了希望時刻設定部５１が、マウス／キーボート６１を設定入力として処理するが、これらの動作は、ＣＰＵ７とＲＡＭ６２とＨＤＤ６３などが協働するＣＰＵ７のプログラムの形態で実行される。
【００４１】
次のステップＳ３〜ステップＳ８の処理ステップは、マイコン５のプログラムが自動的に処理するステップである。
【００４２】
ステップＳ３では、電池容量取得部５２が、電池２の通信部２ｂを介して電池２の電池容量を取得する。ステップＳ４では、充電開始時刻算出部５３が、ステップＳ３で取得した電池２の電池容量と、ステップＳ２で設定された充電完了希望時刻とに基づいて、電池２の充電を開始する時刻を算出する（詳細後述）。ステップＳ５では、ステップＳ４で算出した充電開始時刻に現在時刻が到達しているかがチェックされる。ステップＳ５でＹＥＳであればステップＳ８に進むが、ＮＯであればステップＳ６とステップＳ７を経てステップＳ３に戻り、ステップＳ３〜ステップＳ７のループの作業は、ステップＳ５でＹＥＳになるまで繰り返し実行される。
【００４３】
ここで、ステップＳ６では、電池容量取得部５２は、取得間隔テーブル５２ａを照合する。この取得間隔テーブル５２ａを図４に示す。図４は取得した電池容量と次に電池容量を取得する取得時間間隔を示す図であり、取得時間間隔は電池容量に比例した値である。すなわち、電池２の電池容量（残容量）が小さいほど取得時間間隔を小さく設定する。このテーブルを照合の結果、次の取得時間間隔が決定され、次のステップＳ７で取得時間間隔経過後、ステップＳ３で説明した電池容量の取得が実行される。なお、電池容量を取得する取得時間間隔は、充電開始時刻までの残り時間に基づいて決定してもよい。このようにすることにより、充電開始時刻をより正確に算出することが可能となる。
【００４４】
このようなステップＳ３〜ステップＳ７のループを実行する過程で、ステップＳ５においてＹＥＳの結果になると、ステップＳ８において、ＡＣアダプタ接続通知部５４が、ＣＰＵ７に指令を出して図５のダイアログ６５ｄに示すようなダイアログをディスプレイ６５上に表示する。使用者は、この表示を見て、携帯情報処理装置１を電源コンセントの場所に移動して、ＡＣアダプタにより電池２を充電すれば、当初に設定した時刻に電池２を満充電容量状態にまで充電することが可能となる。
【００４５】
なお、ステップＳ８での表示は、ステップＳ４で算出した時刻に基づいてステップＳ５で判断するようにしたが、ステップＳ５での時刻判断をステップＳ４で算出した時刻に余裕を持たせて、例えば５分前にしてもかまわない。また、ステップＳ８でのディスプレイ６５への表示に加えて、携帯情報処理装置１が保有するスピーカなどの発音部で報知音や音声を発生させてもよい。また携帯情報処理装置１がシャットオフ状態にある場合には、携帯情報処理装置１が保有するＬＥＤ等の発光部６７を発光させて使用者に告知するようにしても差し支えない。すなわち、携帯情報処理装置１がシャットオフ状態ではＣＰＵ７への電源供給は停止するが、マイコン５および発光部６７への電源供給は継続しており上記のような発光部６７を使った告知も可能となる。
【００４６】
次に、図１と図７〜図８を参照しながら、図６を用いて図２で説明したステップＳ４の詳細な動作を説明する。なお、この動作は、充電開始時刻算出部５３（図１）が実行する。図６は本実施の形態における携帯情報処理装置１の充電開始時刻の算出方法の手順を説明するためのフローチャートである。
【００４７】
図６において、ステップＳ４ａで取得した電池容量に基づいて、この電池容量から満充電にするための充電時間を求める。図７は、携帯情報処理装置１を内蔵の電池２で駆動した場合の時間経過と電池容量の低下の傾向の一例（特性Ａ）で示す図である。この図面で、例えば電池容量が８０％の時の電池２を満充電容量にする時間は（点線示の特性Ｂ１）ｔ１であり、電池容量が４０％の時の電池２を満充電容量にする時間は（同Ｂ２）ｔ２である。
【００４８】
この電池容量と満充電容量までの充電時間を示したのが図８（ａ）の特性Ｃである。この図面は、携帯情報処理装置１が標準的な消費電力で駆動された時の標準的な充電時間を示しており、電池容量と充電時間は逆比例の関係にある。しかしながら、携帯情報処理装置１の消費電力は、使用者が設定するバックライト６６（図１）の明るさや、携帯情報処理装置１で使用するワープロなどのアプリケーションにより異なる。この消費電力により、充電時間が左右される。そこで充電開始時刻算出部５３は、ステップＳ４ｂにおいて、消費電力記憶テーブル５３ａを照合する。
【００４９】
消費電力記憶テーブル５３ａには、図８（ｂ）に示すような携帯情報処理装置１の直近の平均消費電力（例えば１時間毎の移動平均値）と、これに基づく充電時間の補正率が記載されている。図８（ｂ）の特性Ｄは、電力消費量（％）と充電時間の補正率の関係を示し、例えば直近の平均消費電力が最大値の４０％であれば、ｄ１で示すように補正率０．９を得る。従って電池容量が４０％であれば標準の充電時間７０分に補正率０．９を乗じた充電時間６３分が得られる。
【００５０】
次にステップＳ４ｃにおいて、ステップＳ４ｂで得られた時間（６３分）とステップＳ２で設定した充電完了希望時刻（１７時）とから、充電開始時刻１５時５７分が得られる。以上のステップＳ４ａ〜ステップＳ４ｃの動作は図２で説明したように繰り返し実施される。
【００５１】
このように、充電開始時刻は、携帯情報処理装置１の使用実態に応じて修正されるので、充電開始の所定時刻に到達して、図２のステップＳ８の表示を見て、使用者が携帯情報処理装置１を充電しながら、引き続いて携帯情報処理装置１を使用しても、当初に設定した時刻には電池２を満充電容量にすることが可能となる。
【００５２】
（実施の形態２）
本実施の形態は、実施の形態１に関わる発明の形態である。
【００５３】
実施の形態１の図２で説明したステップＳ８以降の動作に関わるもので、本実施の形態の電気的な構成は図１と同じである。以下、図１と図１０を参照しながら図９を用いて動作を説明する。図９は本実施の形態における携帯情報処理装置１の動作を説明するためのフローチャートであり、図１０は本実施の形態における携帯情報処理装置１のディスプレイ６５上の表示の例を示す図である。
【００５４】
図９においてステップＳ８で使用者にＡＣアダプタの接続を促す通知をした後、ステップＳ９において、マイコン５は、給電検知部４２の信号をチェックする。ここで給電を検知すれば、充電制御部４１に指示して電池２の充電を開始する（ステップＳ１６）。しかし、使用者がステップＳ８の表示に気がつかずに、あるいは気がついていても手が離せない場合に、ステップＳ１０〜ステップＳ１５の動作が実施される。
【００５５】
すなわちステップＳ１０では、電池容量を取得し、ステップＳ１１では、取得した電池容量に基づいて、現時点で充電を開始したときの充電完了時刻を算出する。この充電完了時刻は、図６で説明した方法により充電時間を求め、現在時刻に、求めた充電時間を加算することにより得られる。
【００５６】
次にステップＳ１２では、取得した電池容量に基づいて、現時点で充電を開始したときの当初に設定した充電完了希望時刻（１７時００分）における充電率（満充電容量に対する充電容量の比率）を算出する。この充電率は、現在時刻と設定した充電完了希望時刻との時間差と、前述の図８での必要な充電時間とから比例式を用いて算出できる。
【００５７】
次にステップＳ１３では、ステップＳ１１とステップＳ１２で算出した結果が、図１０の表示例に示すようにディスプレイ６５上に表示される。図１０でダイアログ６５ｅには、満充電に達する時刻（充電完了時刻）６５ｆ（１７時１２分）と、当初設定した充電完了希望時刻（１７時）における電池２の充電率６５ｇ（９０％）とが表示されている。このステップＳ１０〜ステップＳ１３の動作は、ステップＳ１４で、前述の給電検知が得られない限り、所定時間間隔（例えば１分間隔）（ステップＳ１５）で繰り返し実行され、図１０の表示はその都度、新しいデータに更新される。
【００５８】
ステップＳ１４で給電を検知すると、ステップＳ１６で電池２の充電を開始し、図１０の表示はディスプレイ６５上から消去される。
【００５９】
このように、電池２を満充電容量にさせる充電開始時刻を経過して充電を開始した場合の満充電容量になる時刻や、当初に設定した時刻における充電率を使用者に通知することで、使用者は外出の時刻を延期もしくは、電池２の充電量の程度を認知して外出するなどの判断の自由度が高くなる。
【００６０】
なお、上記説明ではステップＳ９において給電検知部４２が給電を検知しない場合に、当該時刻にＡＣアダプタが接続された場合の充電完了時刻や、充電完了希望時刻での充電率を表示するとしたが、給電検知部４２が給電を検知したことをトリガとして上記表示をするようにしてもよい。これにより、使用者は正確な充電完了時刻や充電率を知ることができるので外出等の判断をより正確に行うことが可能となる。
【００６１】
また、充電開始時刻が過ぎてＡＣアダプタが接続された場合には通常の充電モードよりも高速に充電する高速充電モードで充電してもよい。これにより、満充電になるまでの時間を短縮できるので使用者の待ち時間を少なくすることができる。
【００６２】
（実施の形態３）
本実施の形態は、電池２を満充電容量にさせる充電完了希望時刻を設定しない場合に、携帯情報処理装置１のキーボード６１等の特定のキーを押した時に、その時の電池２の充電率、充電完了までの時間、充電完了時刻等をディスプレイ６５等に表示するものである。
【００６３】
図１１は本実施の形態における携帯情報処理装置１の動作を説明するためのフローチャートである。図１１において、まずステップＳ１７でキーボード６１等の特定キーが押されたか否かを検出する。特定キーが押された場合（Ｙｅｓ）、ステップＳ１８に進み当該時刻の電池２の残容量を取得する。その後、ステップＳ１９で取得された電池残容量から充電率を算出し、ステップＳ２０で満充電になるまでの充電必要時間を算出し、さらにステップＳ２１でこの充電必要時間から充電完了時刻を算出する。そして、ステップＳ２２でこれらの算出結果をディスプレイ６５に表示する。一方、ステップＳ１７で特定キーが押されるのを検出しない場合（Ｎｏ）は特定キーが押されるまで待つ。図１１においても、ステップＳ１７およびステップＳ２２の処理はＣＰＵ７のプログラムで実行され、それ以外の処理ステップはマイコン５のプログラムによって実行される。
【００６４】
図１２は、本実施の形態における携帯情報処理装置１のディスプレイ６５上の表示例を示す図である。図１２においてディスプレイ６５のダイアログ６５ｈには、充電率６５ｉ（６０％）、満充電までの充電必要時間６５ｊ（４ｈｒ）および充電完了時刻（２０時００分）とが表示される。
【００６５】
このように携帯情報処理装置１の使用者は任意の時刻に、キーボード６１等の特定キーを押すことにより、電池２の充電率、充電必要時間および充電完了時刻を知ることができるので携帯情報処理装置１の携帯使用の利便性が大幅に向上する。
【００６６】
なお、上記実施の形態では携帯情報処理装置１の電源がオンの場合にディスプレイ画面上に警告表示して使用者にＡＣアダプタの接続を要求する例については説明したが、本発明は携帯情報処理装置１の電源がオフの場合にも適用可能である。この場合は、携帯情報処理装置１本体についているＬＥＤ等を点灯して通知したり、点滅させてその点滅間隔や複数のＬＥＤの点灯個数等によって満充電になるまでの概略の時間を通知するようにしてもよい。
【産業上の利用可能性】
【００６７】
本発明は、ノートパソコンやＰＤＡに限らずＡＣアダプタを接続して充電が必要な携帯情報処理装置全般に幅広く適用可能である。
【図面の簡単な説明】
【００６８】
【図１】本発明の実施の形態１における携帯情報処理装置の電気的な構成を示す図
【図２】同携帯情報処理装置の動作を説明するためのフローチャート
【図３】同携帯情報処理装置のディスプレイ上の表示の例を示す図
【図４】同携帯情報処理装置の電池容量取得の取得間隔を示す図
【図５】同携帯情報処理装置のＡＣアダプタ接続通知部の表示例を示す図
【図６】同携帯情報処理装置の充電開始時刻の算出方法の手順を説明するためのフローチャート
【図７】同携帯情報処理装置の充電開始時刻の算出方法の詳細を説明するための図
【図８】同携帯情報処理装置の充電開始時刻の算出方法の詳細を説明するための図であり、（ａ）は携帯情報処理装置が標準的な消費電力で駆動された時の標準的な充電時間を示す図、（ｂ）は携帯情報処理装置の直近の平均消費電力とこれに基づく充電時間の補正率を示す図
【図９】本発明の実施の形態２における携帯情報処理装置の動作を説明するためのフローチャート
【図１０】同携帯情報処理装置のディスプレイ上の表示の例を示す図
【図１１】本発明の実施の形態３における携帯情報処理装置の動作を説明するためのフローチャート
【図１２】同携帯情報処理装置のディスプレイ上の表示の例を示す図
【符号の説明】
【００６９】
１    携帯情報処理装置
２    ２次電池（電池）
３    携帯情報処理装置本体部
４ａ，４ｂ    給電端子
４１    充電制御部
４２    給電検知部
５    マイクロコンピュータ（マイコン）
５１    充電完了希望時刻設定部
５２    電池容量取得部
５２ａ    取得間隔テーブル
５３    充電開始時刻算出部
５３ａ    消費電力記憶テーブル
５４    ＡＣアダプタ接続通知部
６１    マウス／キーボード
６２    ＲＡＭ
６３    ＨＤＤ
６４    電源制御部
６５    ディスプレイ
６６    バックライト
６７    ＬＥＤ（発光部）
７    ＣＰＵ
【図１】
2009194955.tif 000003
【図２】
2009194955.tif 000004
【図３】
2009194955.tif 000005
【図４】
2009194955.tif 000006
【図５】
2009194955.tif 000007
【図６】
2009194955.tif 000008
【図７】
2009194955.tif 000009
【図８】
2009194955.tif 000010
【図９】
2009194955.tif 000011
【図１０】
2009194955.tif 000012
【図１１】
2009194955.tif 000013
【図１２】
2009194955.tif 000014